【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
物体が載置されるスクリーンと、
前記スクリーン上に各種映像を表示する映像表示手段と、
前記映像表示手段によって前記スクリーン上に表示される各種映像に対応する映像データを記憶する映像データ記憶手段と、
前記物体に記録された前記物体を識別するための識別データを読み取る読取手段と、
前記物体の前記スクリーン上での位置および前記物体が有する透過部の位置を検出する位置検出手段と、
前記物体の前記スクリーン上での向きを検出する検出手段と、
前記読取手段によって読み取られた前記識別データに基づいて前記スクリーン上に表示すべき映像を前記記憶手段から取得する映像取得手段と、
前記映像取得手段によって取得された前記映像を、前記位置検出手段によって検出された前記物体の前記透過部の前記スクリーン上の位置に対応するスクリーン上の領域に、前記向き検出手段によって検出された前記物体の前記スクリーン上での向きに合わせて表示する表示制御手段と
を備えることを特徴とするゲーム装置。
【請求項２】
前記物体は、少なくとも光を透過する透過部を有し、前記表示制御手段は、前記透過部に対応する前記スクリーン上の領域に前記映像を表示させる
ことを特徴とする請求項１に記載のゲーム装置。
【請求項３】
前記物体の形状の変化を検出する形状変化検出手段をさらに備え、
前記表示制御手段は、前記形状変化検出手段による検出結果に応じて前記物体の前記透過部の前記スクリーン上の位置に対応するスクリーン上の領域に前記物体に対応する映像を表示させる
ことを特徴とする請求項１または２に記載のゲーム装置。
【請求項４】
前記物体は、光を透過する透過部と光を透過しない不透過部とからなるカードであり、
前記表示制御手段は、前記カードに記録された識別データに対応する映像を前記物体の前記透過部の前記スクリーン上の位置に対応するスクリーン上の領域に表示させる
ことを特徴とする請求項１乃至３のいずれかに記載のゲーム装置。
【請求項５】
前記カードが、前記不透過部のいずれか一方面に前記カードを識別するための識別データが記録されてなるとともに、前記不透過部のいずれか他方面に前記所定の絵柄または画像が形成されてなる
ことを特徴とする請求項４に記載のゲーム装置。
【請求項６】
前記カードは、複数のカードが書籍状に同一側で開閉可能に連接された構造を有するとともに、表紙側のカードおよび裏表紙側のカードのいずれか一方に前記透過部が形成されてなる
ことを特徴とする請求項４又は請求項５に記載のゲーム装置。
【請求項７】
前記カードが、複数のカードが折り畳み可能に平面状に連接された構造を有するとともに、前記カードのうち、一のカードに前記透過部が形成するとともに、前記カードのいずれかに前記カードを識別するための識別データが記録されてなるとともに、前記透過部が形成されていない他のカードに所定の絵柄または画像が表面に形成されてなる
ことを特徴とする請求項４又は請求項５に記載のゲーム装置。
【請求項８】
前記透過部は、該透過部が設けられたカードの状態を検出するための情報が記録されている
ことを特徴とする請求項４乃至請求項７に記載のゲーム装置。
【請求項９】
前記物体は、光を透過する透過部と光を透過しない不透過部とからなるカードであり、
前記透過部が、前記カードの所定の領域を囲む曲線に沿って、前記曲線の直線状の一部分を残して他の部分に切り込みを入れることにより形成された前記曲線の直線状の一部分を支点として開閉可能な開閉部を開くことにより形成されてなり、
前記開閉部の少なくとも一方の面に前記開閉部の状態を検出するための情報を記録し、前記開閉部外の所定の部分に前記カードを識別するための識別データを記録する
ことを特徴とする請求項１乃至３のいずれかに記載のゲーム装置。
【請求項１０】
前記物体は、光を透過する透過部と、所定の絵柄または画像が表面に形成されたカードを保持する保持部とからなるカードホルダであり、
前記表示制御手段は、前記カードに記録された識別データに対応する映像を前記物体の前記透過部の前記スクリーン上の位置に対応するスクリーン上の領域に表示させる
ことを特徴とする請求項１乃至３のいずれかに記載のゲーム装置。
【手続補正２】
【補正対象書類名】明細書
【補正対象項目名】０００６
【補正方法】変更
【補正の内容】
【０００６】
請求項１に記載のゲーム装置は、物体が載置されるスクリーンと、前記スクリーン上に各種映像を表示する映像表示手段と、前記映像表示手段によって前記スクリーン上に表示される各種映像に対応する映像データを記憶する映像データ記憶手段と、前記物体に記録された前記物体を識別するための識別データを読み取る読取手段と、前記物体の前記スクリーン上での位置および前記物体が有する透過部の位置を検出する位置検出手段と、前記物体の前記スクリーン上での向きを検出する向き検出手段と、前記読取手段によって読み取られた前記識別データに基づいて前記スクリーン上に表示すべき映像を前記記憶手段から取得する映像取得手段と、前記映像取得手段によって取得された前記映像を、前記位置検出手段によって検出された前記物体の前記透過部の前記スクリーン上の位置に対応するスクリーン上の領域に、前記向き検出手段によって検出された前記物体の前記スクリーン
上での向きに合わせて表示する表示制御手段とを備えることを特徴とする。
【手続補正３】
【補正対象書類名】明細書
【補正対象項目名】００１１
【補正方法】変更
【補正の内容】
【００１１】
請求項５に記載のカードは、前記カードが、前記不透過部のいずれか一方面に前記カードを識別するための識別データが記録されてなるとともに、前記不透過部のいずれか他方面に前記所定の絵柄または画像が形成されてなることを特徴とする。
【手続補正４】
【補正対象書類名】明細書
【補正対象項目名】００１５
【補正方法】変更
【補正の内容】
【００１５】
請求項９に記載のカードは、前記物体は、光を透過する透過部と光を透過しない不透過部とからなるカードであり、前記透過部が、前記カードの所定の領域を囲む曲線に沿って、前記曲線の直線状の一部分を残して他の部分に切り込みを入れることにより形成された前記曲線の直線状の一部分を支点として開閉可能な開閉部を開くことにより形成されてなり、前記開閉部の少なくとも一方の面に前記開閉部の状態を検出するための情報を記録し、前記開閉部外の所定の部分に前記カードを識別するための識別データを記録することを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００４９
【補正方法】変更
【補正の内容】
【００４９】
図７は、カード１７に印刷等により形成されたコードパターンの例を示している。コードパターンは図７に示したものに限定されるものではなく、その他のパターンとすることができる。同図に示すように、カード１７には、半径が異なる複数のパターン１７０が印刷等により形成されている。パターン１７０は、カード位置検出円１７２と、カード位置検出円１７２の外周に形成された位置角度検出パターン領域１７４と、位置角度検出パターン領域１７４の外側に形成されたＩＤデータ領域１７６と、カード位置検出用円１７２の内側に形成された環状白色領域１７８と、環状白色領域１７８の内側に形成されたデータ領域１８０と、データ領域１８０の内側に形成された中心点１８２とを有している。パターン１７０は、赤外線カメラ５により撮像された黒色部分１７０ａと白色部分１７０ｂの濃度差に基づいて認識される。
【手続補正７】
【補正対象書類名】明細書
【補正対象項目名】００７５
【補正方法】変更
【補正の内容】
【００７５】
図１０乃至図２１は、紙媒体の一部に光を透過する透過部（窓部）が形成された様々なカードの例を示している。
【手続補正８】
【補正対象書類名】明細書
【補正対象項目名】０１０１
【補正方法】変更
【補正の内容】
【０１０１】
図２０は、カード１７のさらに他の具体例を示している。図２０（ａ）に示すように、この例では、カード４４０は、３枚のカードが連結されたような構造となっており、中央のカードには精霊等の絵４４２が描かれ、両側に窓部４４１を有する開閉部と、窓部４４６を有する開閉部がそれぞれ配置されている。図２０（ｃ）に示すように、中央のカードの裏側には識別コードと位置および向きを検出するための情報からなるコードパターン４４３が印刷され、窓部４４１を有する開閉部の表側には開かれたか否かを検出するための情報からなるコードパターン４４５が印刷され、窓部４４６を有する開閉部の表側には、開かれたか否かを検出するための情報からなるコードパターン４４４が印刷されている。コードパターン４４４とコードパターン４４５とは互いに異なるコードとされ、区別できるようになっている。図２０（ｂ）に示すように、カード４４０を透過型スクリーン８上に載置し、２枚の開閉部をそれぞれ開くと、窓部４４１には、精霊の画像または動画が投影され、窓部４４６には他の精霊の画像または動画が投影される。いずれか一方の開閉部のみを開くこともできる。